(57)【要約】  【課題】  周囲に対して光の装飾効果を与えることができる照明容器を提供する。  【解決手段】  照明容器１は、胴体部１０と、支持部材２０と、光源３０と、からなる。胴体部１０は、上方向の開口１１と下方向の開口１２とを有する円筒状であって、ポリエステル系人工大理石にて形成されており、光の透過性を備える。下方空間２２の内側面には、光の透過性を有する樹脂製のクリップ１３が複数配置されている。支持部材２０は、胴体部１０の内部に配置される板状の部材であって、胴体部１０と同様にポリエステル系人工大理石にて形成されており、光の透過性を有する。支持部材２０と胴体部１０とは一体に形成されている。なお、支持部材２０は、上方空間２１と下方空間２２とを遮断するように隙間なく形成されている。光源３０は、下方空間２２に配置される。【選択図】図１
2011060460.tif 000002
【特許請求の範囲】
【請求項１】
上下方向に開口を有する筒状であって、光の透過性を有する胴体部と、
前記胴体部の内部に配置され、物品を下方向から支持可能な支持部材と、
前記胴体部の内部における前記支持部材の下方の空間に配置される光源と、を備える
ことを特徴とする照明容器。
【請求項２】
前記支持部材は、光の透過性を有する
ことを特徴とする請求項１に記載の照明容器。
【請求項３】
前記支持部材は、前記胴体部の内部における前記支持部材の上方の空間と下方の空間とを遮断するように構成されている
ことを特徴とする請求項１または請求項２に記載の照明容器。
【請求項４】
前記胴体部と前記支持部材とが一体に形成されている
ことを特徴とする請求項１から請求項３のいずれか１項に記載の照明容器。
【請求項５】
前記光源は、前記胴体部または前記支持部材に取り付けられている
ことを特徴とする請求項１から請求項４のいずれか１項に記載の照明容器。
【請求項６】
前記胴体部の内部における前記支持部材の下方の空間に配置され、シート状の装飾材を保持する保持具を備える
ことを特徴とする請求項１から請求項５のいずれか１項に記載の照明容器。
【発明の詳細な説明】
【技術分野】
【０００１】
本発明は、照明装置を備える容器に関する。
【背景技術】
【０００２】
従来、容器に装飾効果を付加するための照明装置を備える容器が知られている。この種の容器として、例えば、容器の底壁が光の透過性を有するように構成するとともに、底壁の下側に光源を配置して光源から放射された光によって底壁を照らして、容器の底壁に模様が現出されるように構成されるものがある（特許文献１参照）。
【先行技術文献】
【特許文献】
【０００３】
【特許文献１】特開２００４−１０５２３１号公報
【発明の概要】
【発明が解決しようとする課題】
【０００４】
しかしながら、上述した容器では、容器の底壁に模様が現出されるように構成されていたために、上方向には多彩な模様を表すことが可能になるが、周囲に対しては光による模様を十分に示すことができず、周囲に対して大きな装飾効果を得ることができないという問題があった。
【０００５】
本発明は、上述した問題に鑑みてなされたものであり、その目的は、周囲に対して光の装飾効果を与えることができる照明容器を提供することである。
【課題を解決するための手段】
【０００６】
上述した問題を解決するためになされた請求項１に記載の発明は、上下方向に開口を有する筒状であって、光の透過性を有する胴体部と、上記胴体部の内部に配置され、物品を下方向から支持可能な支持部材と、上記胴体部の内部における上記支持部材の下方の空間に配置される光源と、を備えることを特徴とする照明容器である。なお、ここで言う物品とは、照明容器が保持する対象物である。
【０００７】
このように構成された照明容器であれば、胴体部と支持部材とにより物品を保持する容器としての機能を有するうえ、光源を発光させることで胴体部の周囲を照らし、周囲に光による装飾効果を与えることができる。さらに、胴体部の周囲を照らす照明として機能させることができる。
【０００８】
また、本発明の照明容器では、支持部材の下方の空間（以降、単に下方空間ともいう）に、胴体部から放たれる光の模様や色彩、明るさなどを変化させる装飾材を配置する場合に、上記胴体部の下方向に開口が形成されているため、下方空間への装飾材の配置や置き換えを簡便に行うことができる。
【０００９】
なお、上記胴体部は、光の透過性と耐久性を有していれば、その具体的な構成は特に限定されない。高い透明性を有するガラスやアクリルなどで構成されていてもよいし、透過性の低い樹脂やすりガラスなどで構成されていてもよい。
【００１０】
また、胴体部の形状は、上下方向に開口を有する筒状であればその具体的な形状は特に限定されない。例えば水平方向の断面が円形や多角形などとなるように形成することが考えられる。
【００１１】
また、上記支持部材は、物品を支持できればその具体的な構成は特に限定されない。例えば水平面に平行な板状の部材により構成されていてもよいし、多孔板や網などで構成されていてもよい。
【００１２】
また、上記光源の具体的な構成は特に限定されず、一般的に用いられる白熱電球、蛍光灯、ＬＥＤなど、様々なものを用いることができる。
請求項２に記載の発明は、請求項１に記載の照明容器において、上記支持部材が光の透過性を有することを特徴とする。
【００１３】
このように構成された照明容器であれば、上述した上方空間に配置した物品を光源により照らすことができるため、光による物品の装飾効果を得ることができる。
なお、支持部材の透過性の程度，および支持部材の形状は特に限定されない。支持部材の光の透過性が高ければ物品を明るく照らすことができ、支持部材の光の透過性が低ければ物品を淡く照らすことができる。また、支持部材が透過性の高い領域と低い領域とを有する場合や上下方向の貫通孔が形成されている場合などは局所的に物品を照らすことができる。
【００１４】
請求項３に記載の発明は、請求項１または請求項２に記載の照明容器において、上記支持部材は、上記胴体部の内部における上記支持部材の上方の空間と下方の空間とを遮断するように構成されていることを特徴とする。
【００１５】
このように構成された照明容器であれば、上方空間から下方空間に物品が落ちてしまうことや、その落下した物品により光源が故障することが抑制できる。特に、容器にて水などの液体や土などの粒子状の物体を保持する場合に都合がよい。
【００１６】
請求項４に記載の発明は、請求項１から請求項３のいずれか１項に記載の照明容器において、上記胴体部と上記支持部材とが一体に形成されていることを特徴とする。
このように構成された照明容器では、支持部材が胴体部と一体に構成されていることにより、支持部材の強度を向上させることができる。
【００１７】
ところで、上記光源は、上述した下方空間に配置されていれば、その具体的な位置は特に限定されない。例えば、位置を固定せずに配置することが考えられる。また、それ以外に請求項５に記載の照明容器のように光源を取り付けてもよい。
【００１８】
請求項５に記載の発明は、請求項１から請求項４のいずれか１項に記載の照明容器において、上記光源は上記胴体部または上記支持部材に取り付けられていることを特徴とする。
【００１９】
このように構成された照明容器では、光源が胴体部または支持部材に取り付けられていることから、光源が床面上に直接配置されないので、床面の影響を受けにくくなる。従って、例えば床面の汚れが酷い場合や、床面が水に接触する可能性がある場合であっても照明容器を設置することができる。また、光源が胴体部または支持部材に取り付けられていることで、装飾材を配置する際に光源が邪魔にならず、下方空間への装飾材の配置を簡便に行うことができる。
【００２０】
請求項６に記載の発明は、請求項１から請求項５のいずれか１項に記載の照明容器において、上記胴体部の内部における上記支持部材の下方の空間に配置され、シート状の装飾材を保持する保持具を備えることを特徴とする。
【００２１】
このように構成された照明容器では、保持具によって下方空間にシート状の装飾材が保持されるため、装飾材が所望の位置からずれることを抑制でき、装飾材によって装飾性が向上された光の模様などを適切に照明容器の表面に映し出すことができる。
【図面の簡単な説明】
【００２２】
【図１】実施例１の照明容器を示す透明斜視図
【図２】クリップを示す斜視図
【図３】３（ａ）が文字シートの取り付け状態を示す透明斜視図、３（ｂ）が文字シートを取り付けた照明容器の外観斜視図
【図４】実施例２の照明容器を示す断面図
【図５】実施例３の照明容器を示す断面図
【図６】６（ａ）が実施例４の照明容器を示す断面図、６（ｂ）が同上面図
【図７】７（ａ）が実施例５の照明容器を示す透明斜視図、７（ｂ）が支持部材を示す上面図、７（ｃ）が支持部材の変形例を示す上面図
【図８】実施例６の照明容器を示す断面図
【図９】変形例の照明容器を示す斜視図
【図１０】変形例の照明容器を示す断面図
【発明を実施するための形態】
【００２３】
以下に本発明の実施形態を図面と共に説明する。
［実施例１］
（１）全体構成
図１に本実施例の照明容器１の透明斜視図を示す。照明容器１は、胴体部１０と、支持部材２０と、光源３０と、からなる。
【００２４】
胴体部１０は、上方向の開口１１と下方向の開口１２とを有する円筒状であって、ポリエステル系人工大理石にて形成されており、光の透過性を備えるものである。
胴体部１０の下方（後述する下方空間２２）の内側面には、光の透過性を有する樹脂製のクリップ１３が複数配置されている。このクリップ１３は、図２に示すように、胴体部１０に取り付けられるベース１４と、ベース１４との間にシート状の部材を挟みこんで保持する保持片１５と、からなる。なお、クリップ１３は接着剤により胴体部１０に取り付けられるが、それ以外の方法で取り付けられる構成であってもよい。
【００２５】
支持部材２０は、胴体部１０の内部に配置される板状の部材であって、胴体部１０と同様にポリエステル系人工大理石にて形成されており、光の透過性を有する。この支持部材２０と胴体部１０とは一体に形成されている。
【００２６】
この支持部材２０によって、胴体部１０の内部空間は上方空間２１と下方空間２２に分けられる。上方空間２１には照明容器１が保持する対象物である物品が配置される。配置された物品は、支持部材２０によって下方から支持されるとともに、胴体部１０によって周囲を囲まれて、上方空間２１内に保持される。
【００２７】
なお、支持部材２０は、上方空間２１と下方空間２２とを遮断するように隙間なく形成されている。
光源３０は、下方空間２２に配置されるものであって、白熱電球を有する光源装置である。本実施例において光源３０は胴体部１０や支持部材２０に固定されておらず、床面上の何れの位置にも配置可能となっている。光源３０の電力はケーブル３１を介して供給され、光源３０本体上またはケーブル３１上に設けられた図示しないスイッチにより光源３０のオン／オフを切替えることができる。なお、以降の図において、ケーブル３１の図示は省略する場合がある。
【００２８】
次に、装飾材の取り付けについて説明する。本実施例においては、図３（ａ）に示すように、装飾材として文字シート４０を用いている。文字シート４０は、透明なフィルム４１の上に文字４２が記載されてなるものである。この文字シート４０を開口１２から下方空間２２に挿入し、クリップ１３に挟みこむことで、文字シート４０を胴体部１０の内側表面に固定させる。
【００２９】
上記の状態で光源３０を発光させると、文字シート４０における文字４２部分とフィルム４１部分との光の透過度合が異なるため、図３（ｂ）に示すように、照明容器１の外側に文字４２の影４３が映し出される。なお、図３（ｂ）における手前側の面は、図３（ａ）における奥側の面である。
（２）発明の効果
このように構成された照明容器１であれば、胴体部１０と支持部材２０とにより物品を支持する容器としての機能を有するうえ、光源３０を発光させることで胴体部１０の周囲を照らし、周囲に光による装飾効果を与えることができる。さらに、胴体部１０の周囲を照らす照明として機能させることができる。
【００３０】
また、上記照明容器１では、下方空間２２に文字シート４０を配置する際に、胴体部１０の下方向は開口１２が形成されているため、下方空間２２への文字シート４０の配置や置き換えを簡便に行うことができる。
【００３１】
このように、上記照明容器１であれば、周囲に対して光の装飾効果を与えると共に、その装飾の変更を容易に行うことができる。
また、上記照明容器１であれば、支持部材２０が光の透過性を有していることから、上方空間２１に配置した物品を光源３０により照らすことができるため、光による物品の装飾効果を得ることができる。
【００３２】
また、上記照明容器１であれば、支持部材２０が上方空間２１と下方空間２２とを遮断しているため、上方空間２１から下方空間２２に物品が落ちてしまうことや、その落下した物品により光源３０が故障することが抑制できる。特に、上方空間２１にて水などの液体や土などの粒子状の物体を保持する場合に都合がよい。
【００３３】
また、上記照明容器１では、支持部材２０が胴体部１０と一体に構成されていることにより、支持部材２０の強度を向上させることができる。
また、上記照明容器１では、クリップ１３が透過性を有するため、クリップ１３が照明容器１の表面に映し出されて装飾性が損なわれることを抑制できる。
［実施例２］
（１）全体構成
実施例２における照明容器２は、実施例１の照明容器１と比較して光源３０の位置が相違する以外は同様の構成であるため、同様の構成は実施例１と同一の符号を用いて詳細な説明を割愛する。
【００３４】
図４に本実施例の照明容器２の断面図を示す。光源３０は、支持部材２０の下側面に取り付けられている。なお、光源３０を支持部材２０に取り付ける方法としては、接着剤による固定のほか、光源３０および／または支持部材２０に係合片を設けて係合させること、光源３０に貫通孔を設け、その貫通孔に挿入したネジを支持部材２０に螺入して固定することなどが考えられる。
（２）発明の効果
本実施例の照明容器２は、上記実施例１の照明容器１の効果に加えて、以下の効果を奏する。
【００３５】
照明容器２は、光源３０が支持部材２０に取り付けられていることから、光源３０が床面７０上に直接配置されないため、床面７０の汚れが酷い場所や、床面７０が水に接触する可能性がある場所であっても光源３０を設置することができ、照明容器２を設置する場所の制限を小さくすることができる。
【００３６】
また、光源３０の位置を胴体部１０に対して固定できるため、胴体部１０を移動させても光源３０の位置がずれることがない。従って、照明容器２を移動した際に光源３０を適切な位置に置きなおす必要がなく都合がよい。
【００３７】
また、文字シート４０などの装飾材を配置する際に、光源３０が支持部材２０に取り付けられているため作業の邪魔にならず、胴体部１０の下方空間２２への装飾材の配置を簡便に行うことができる。
［実施例３］
（１）全体構成
実施例３における照明容器３は、実施例１の照明容器１と比較して光源３０の位置が相違する以外は同様の構成であるため、同様の構成は実施例１と同一の符号を用いて詳細な説明を割愛する。
【００３８】
図５に本実施例の照明容器３の断面図を示す。光源３０は、下方空間２２における胴体部１０の内側面に取り付けられている。なお、光源３０は、実施例２に記載した支持部材２０と光源３０との取り付け方法と同様の方法で胴体部１０に取り付けることができる。
（２）発明の効果
本実施例の照明容器３は、上記実施例１の照明容器１および上記実施例２の照明容器２と同様の効果を奏する。
［実施例４］
（１）全体構成
実施例４における照明容器４は、実施例１の照明容器１と比較して光源３０の位置が相違する以外は同様の構成であるため、同様の構成は実施例１と同一の符号を用いて詳細な説明を割愛する。
【００３９】
図６（ａ）に本実施例の照明容器４の断面図を示す。また図６（ｂ）に照明容器４の上面図を示す。胴体部１０の下端には、床面７０に沿って長板状の光源保持部１６が形成されている。そして、この光源保持部１６上に光源３０が取り付けられている。なお、光源３０は、実施例２に記載した支持部材２０と光源３０との取り付け方法と同様の方法で光源保持部１６に取り付けることができる。
（２）発明の効果
本実施例の照明容器４は、上記実施例１の照明容器１および上記実施例２の照明容器２と同様の効果を奏する。
【００４０】
なお、光源保持部１６は床面７０に沿った位置に限定されず、床面７０から所定の高さ離れた位置にて光源３０を保持するように構成されていてもよい。
［実施例５］
（１）全体構成
実施例５における照明容器５は、実施例１の照明容器１と比較して支持部材２０の構成が相違する以外は同様の構成であるため、同様の構成は実施例１と同一の符号を用いて詳細な説明を割愛する。
【００４１】
図７（ａ）に本実施例の照明容器５の透明斜視図を示す。また図７（ｂ）に支持部材２０ａの上面図を示す。支持部材２０ａは、上方空間２１と下方空間２２を結ぶ貫通孔２３が複数形成されている。
（２）発明の効果
本実施例の照明容器５は、上記実施例１の照明容器１と同様の光の装飾効果に加えて、以下の効果を奏する。
【００４２】
照明容器５は、支持部材２０ａが貫通孔２３を有しているため、光源３０から放たれた光が貫通孔２３を通過して上方空間２１に配置された物品を照らすことになる。よって、実施例１のように支持部材２０を透過した光のみが物品を照らす構成と比較して物品を明るく照らすことができる。また、貫通孔２３の配置を調整することで物品を局所的に明るく照らすことができ、光による物品の装飾効果に変化を与えることが可能となる。
【００４３】
なお、支持部材２０ａのように貫通孔２３を設ける構成に変えて、図７（ｃ）に示す支持部材２０ｂのように、光の透過性の程度が周囲よりも大きい透過領域２４を設けるように構成してもよい。このように構成することで、上方空間２１からの物品の落下を抑制しつつ、上述したように光による装飾効果に変化を与えることができる。なお、透過領域２４は、光の透過性のみでなく色彩を周囲と変えることで、光による物品の装飾効果に更なる変化を与えることができる。
【００４４】
なお、本実施例においても、光源３０は上記実施例２〜４のように配置してもよい。
［実施例６］
（１）全体構成
実施例６における照明容器６は、実施例１の照明容器１と比較して胴体部１０と支持部材２０の構成が一部相違する以外は同様の構成であるため、同様の構成は実施例１と同一の符号を用いて詳細な説明を割愛する。
【００４５】
図８に本実施例の照明容器６の断面図を示す。照明容器６は、胴体部１０と支持部材２０ｃとが分離可能に構成されている。
胴体部１０は、その内側面に支持部材２０ｃを支持する突起部１７が形成されている。
【００４６】
支持部材２０ｃは、胴体部１０の内部に挿入されると、突起部１７により下方から支持されて所定の位置に配置される。
なお、突起部１７は胴体部１０の全周に亘って形成されていてもよいし、複数箇所に分かれて形成されていてもよい。
（２）発明の効果
本実施例の照明容器６では、上記実施例１の照明容器１と同様の光の装飾効果に加えて、以下の効果を奏する。
【００４７】
照明容器６は、支持部材２０ｃの取り外しができるので、照明容器６の使用用途によって光の透過性の異なる支持部材２０ｃを用いることが可能になり、例えば物品を照らしたくない場合や胴体部１０の装飾を強調したい場合には透過性の低い支持部材２０ｃを用い、また物品を強く照らしたい場合には透過性の高い支持部材２０ｃを用いるなどの使い分けが可能となる。また、上記実施例５に記載した支持部材２０ａ，２０ｂのような構成のものと入れ替えることもできる。
【００４８】
なお、支持部材２０ｃは、コーキング材などで胴体部１０との隙間を埋めて、上方空間２１と下方空間２２とを遮断するように構成してもよい。
また、本実施例においても、光源３０は上記実施例２〜４のように配置してもよい。
［変形例］
以上、本発明の実施例について説明したが、本発明は、上記実施例に何ら限定されることはなく、本発明の技術的範囲に属する限り種々の形態をとり得ることはいうまでもない。
【００４９】
例えば、上記各実施例においては、胴体部１０はポリエステル系の人工大理石によりなる構成を例示したが、光の透過性および耐久性を有するものであれば、それ以外の材料からなるものであってもよい。また、胴体部１０の透過性の程度も特に限定されない。例えば、高い透明性を有するガラスやアクリル、透過性の低い樹脂やすりガラスなどによって胴体部１０を構成することが考えられる。
【００５０】
また、上記各実施例においては、光源３０として白熱電球を有する光源装置を例示したが、白熱電球に変えて蛍光灯やＬＥＤなどを用いても良いし、それ以外のものを用いてもよい。
【００５１】
また、支持部材２０（２０ａ〜２０ｃ）の光透過性の程度は特に限定されない。高い透明性を有するガラスやアクリルなどで構成されていてもよいし、透過性の低い樹脂やすりガラスなどで構成されていてもよい。また、透過性を有さないように構成してもよい。
【００５２】
また、上記各実施例においては、胴体部１０が円筒状を有する構成を例示したが、胴体部１０は上下方向に開口を有する筒状であればその具体的な構成は特に限定されない。例えば図９（ａ）に示す照明容器７ように、上方から見て四角形を有する筒状の胴体部１０ａを有する構成であってもよいし、四角形以外の多角形であってもよい。また胴体部１０の太さは上下方向で一定でなくともよく、図９（ｂ）に示す照明容器８ように、上下で変化する胴体部１０ｂを有する構成であってもよい。
【００５３】
また、上記各実施例においては、シート状の装飾材を保持する保持具としてクリップ１３を備える構成を例示したが、保持具の具体的な構成は実施例のものに限定されない。例えば、図１０に示す照明容器９ように、下方空間２２における胴体部１０の表面に沿って配置され、胴体部１０の表面とポケットを形成してシート状の装飾材４４を保持する保持具１８を設けることが考えられる。
【００５４】
なお、上記核実施例および変形例では、装飾材としてシート状のものを例示したが、装飾材はシート状のものに限定されず、板状，筒状などの様々な形状のものを用いることができる。
【符号の説明】
【００５５】
１〜９…照明容器、１０…胴体部、１１，１２…開口、１３…クリップ、１４…ベース、１５…保持片、１６…光源保持部、１７…突起部、１８…保持具、２０…支持部材、２１…上方空間、２２…下方空間、２３…貫通孔、２４…透過領域、３０…光源、３１…ケーブル、４０…文字シート、４１…フィルム、４２…文字、４３…影、４４…装飾材、７０…床面
【図１】
2011060460.tif 000003
【図２】
2011060460.tif 000004
【図４】
2011060460.tif 000005
【図５】
2011060460.tif 000006
【図６】
2011060460.tif 000007
【図８】
2011060460.tif 000008
【図９】
2011060460.tif 000009
【図１０】
2011060460.tif 000010
【図３】
2011060460.tif 000011
【図７】
2011060460.tif 000012